(57)【要約】【課題】棒状内容物の種類や使用方法等に応じて外筒部の回転に対応する保持部の移動量を変更し、棒状内容物の繰り出し具合を最適な状態に設定することができる操出容器を提供する。【解決手段】本発明の繰出容器は、スリット１ｃを有する内筒部と、内周面に螺旋溝を有するとともに内筒部に対して回転可能に設けられる外筒部と、スリット１ｃを通して螺旋溝に係合する案内突起７ｆを有するとともに棒状内容物Ｓを保持する保持部とを備え、外筒部を回転させることによって保持部が内筒部に対して昇降移動するものであって、外筒部は、螺旋溝の一部を構成する第一螺旋溝２ｄを有する第一筒体２と、第一筒体２に対して直列状に連結するとともに隣り合う溝の間隔が第一螺旋溝２ｄと同一又は異なる第二螺旋溝３ｄを有する第二筒体３と、第一筒体２及び第二筒体３の外側に位置するとともに第一筒体２及び第二筒体３に対して回転不能に連結する外ケース４とを備える。【選択図】図１
2018183464.tif 000002
【特許請求の範囲】
【請求項１】
軸線方向に延びるスリットを有する内筒部と、内周面に螺旋溝を有するとともに該内筒部の外側において該内筒部に対して回転可能に設けられる外筒部と、該スリットを通して該螺旋溝に係合する案内突起を有するとともに棒状内容物を保持する保持部とを備え、該外筒部を回転させることによって該保持部が該内筒部に対して昇降移動する繰出容器であって、
前記外筒部は、前記螺旋溝の一部を構成する第一螺旋溝を有する第一筒体と、該第一筒体に対して直列状に連結するとともに隣り合う溝の間隔が該第一螺旋溝と同一又は異なる第二螺旋溝を有する第二筒体と、該第一筒体及び該第二筒体の外側に位置するとともに該第一筒体及び該第二筒体に対して回転不能に連結する外ケースとを備える操出容器。
【請求項２】
前記第一筒体は、軸線方向に突出する第一凸状部又は軸線方向に凹陥する第一凹状部を有し、
前記第二筒体は、前記第一凸状部に適合し前記第一筒体に対して該第二筒体を周方向に位置決めする第二凹状部、又は前記第一凹状部に適合し前記第一筒体に対して該第二筒体を周方向に位置決めする第二凸状部を有する請求項１に記載の操出容器。
【請求項３】
前記第一筒体は、該第一筒体の外周面において軸線方向に延びる第一縦溝又は第一縦リブを有し、
前記第二筒体は、前記第一筒体に直列状に連結した際に前記第一縦溝に連続する第二縦溝、又は前記第一筒体に直列状に連結した際に前記第一縦リブに連続する第二縦リブを有し、
前記外ケースは、該外ケースの内周面において前記第一縦溝及び前記第二縦溝に適合する内側縦リブ、又は該外ケースの内周面において前記第一縦リブ及び前記第二縦リブに適合する内側縦溝を有する請求項１又は２に記載の操出容器。
【請求項４】
前記内筒部は、径方向外側に向けて突き出す膨出部を有し、
前記外筒部は、直列状に連結した前記第一筒体と前記第二筒体、及び前記膨出部の上方に位置するホルダと、前記外ケースの上部開口において該外ケースに保持され、該ホルダとともに該第一筒体、該第二筒体、及び該内筒部を抜け止め保持するキャップとを備える請求項１〜３の何れか一項に記載の操出容器。
【発明の詳細な説明】
【技術分野】
【０００１】
本発明は、外筒部を回転させることによって、棒状内容物を保持する保持部を昇降移動させることが可能な操出容器に関する。
【背景技術】
【０００２】
従来、口紅やリップクリーム、或いはスティックタイプの糊のような棒状内容物を収容する容器にあっては、棒状内容物を保持する保持部を有し、使用時には外筒部を回転させることによって保持部を移動させ、これによって筒状壁の内側に隠れていた棒状内容物を外部に向けて繰り出すことができる操出容器が既知である。例えば特許文献１には、内周面に螺旋溝を有する外筒と、螺旋溝に摺動可能に係合する係合突起が設けられた突き出し部材と、棒状内容物を保持するホルダとを備え、外筒を回転させることによって突き出し部材とホルダを昇降移動させることが可能な操出容器が示されている。
【先行技術文献】
【特許文献】
【０００３】
【特許文献１】特開平８−１５００１９号公報
【発明の概要】
【発明が解決しようとする課題】
【０００４】
従来の操出容器における螺旋溝は、隣り合う溝の間隔が一定になっている。すなわち、外筒部が一回転する際に保持部が移動する距離は、保持部の最下点から最上点まで常に一定である。ところでこのような操出容器においては、例えばスティックタイプの糊のように、棒状内容物を塗布先に押し付けて塗り拡げるようにして使用することがあるが、棒状内容物が筒状壁から必要以上に繰り出されてしまうと使用中に折れてしまうおそれがある。このような場合には、螺旋溝における隣り合う溝の間隔を狭めて、外筒部一回転あたりの棒状内容物の移動量を小さくすることによって、棒状内容物が必要以上に繰り出されないようにする手段を採用することが考えられる。しかしこの場合は、筒状壁の内側に隠れていた棒状内容物を繰り出すにあたって外筒部を何度も回転させなければならず、手間と時間を要することになる。このため、棒状内容物の移動域における前半段階ではこれを素早く繰り出し、後半段階ではこれをゆっくりと繰り出したいとする要望がある。その一方で、用途によっては、移動域の前半段階では棒状内容物の移動量を微妙に調整するためにこれをゆっくりと繰り出し、後半段階ではこれを素早く繰り出したいとする要望もある。
【０００５】
本発明はこのような要望に対して解決を図るものであって、棒状内容物の種類や使用方法等に応じて、外筒部の回転に対応する保持部の移動量を変更することができる操出容器を提供することを目的とする。
【課題を解決するための手段】
【０００６】
本発明は、軸線方向に延びるスリットを有する内筒部と、内周面に螺旋溝を有するとともに該内筒部の外側において該内筒部に対して回転可能に設けられる外筒部と、該スリットを通して該螺旋溝に係合する案内突起を有するとともに棒状内容物を保持する保持部とを備え、該外筒部を回転させることによって該保持部が該内筒部に対して昇降移動する繰出容器であって、
前記外筒部は、前記螺旋溝の一部を構成する第一螺旋溝を有する第一筒体と、該第一筒体に対して直列状に連結するとともに隣り合う溝の間隔が該第一螺旋溝と同一又は異なる第二螺旋溝を有する第二筒体と、該第一筒体及び該第二筒体の外側に位置するとともに該第一筒体及び該第二筒体に対して回転不能に連結する外ケースとを備える操出容器である。
【０００７】
前記第一筒体は、軸線方向に突出する第一凸状部又は軸線方向に凹陥する第一凹状部を有し、
前記第二筒体は、前記第一凸状部に適合し前記第一筒体に対して該第二筒体を周方向に位置決めする第二凹状部、又は前記第一凹状部に適合し前記第一筒体に対して該第二筒体を周方向に位置決めする第二凸状部を有することが好ましい。
【０００８】
前記第一筒体は、該第一筒体の外周面において軸線方向に延びる第一縦溝又は第一縦リブを有し、
前記第二筒体は、前記第一筒体に直列状に連結した際に前記第一縦溝に連続する第二縦溝、又は前記第一筒体に直列状に連結した際に前記第一縦リブに連続する第二縦リブを有し、
前記外ケースは、該外ケースの内周面において前記第一縦溝及び前記第二縦溝に適合する内側縦リブ、又は該外ケースの内周面において前記第一縦リブ及び前記第二縦リブに適合する内側縦溝を有することが好ましい。
【０００９】
前記内筒部は、径方向外側に向けて突き出す膨出部を有し、
前記外筒部は、直列状に連結した前記第一筒体と前記第二筒体、及び前記膨出部の上方に位置するホルダと、前記外ケースの上部開口において該外ケースに保持され、該ホルダとともに該第一筒体、該第二筒体、及び該内筒部を抜け止め保持するキャップとを備えることが好ましい。
【発明の効果】
【００１０】
本発明にあっては、回転させることによって棒状内容物を昇降移動させる外筒部を、螺旋溝の一部を構成する第一螺旋溝を有する第一筒体と、第一筒体に直列状に連結するとともに隣り合う溝の間隔が該第一螺旋溝と同一又は異なる第二螺旋溝を有する第二筒体と、第一筒体及び第二筒体の外側に位置するとともに第一筒体及び第二筒体に対して回転不能に連結する外ケースとを備える構成としている。すなわち、第一筒体と第二筒体との組み合わせによって、外筒部の回転に対応する保持部の移動量を変更することができるため、棒状内容物の種類や使用方法に応じて、その繰り出し具合を最適な状態に設定することができる。
【図面の簡単な説明】
【００１１】
【図１】本発明に従う操出容器の一実施形態を示す、側面視での断面図である。
【図２】図１に示す内筒部材を示す、（ａ）は（ｂ）に示すＡ−Ａに沿う断面図であって、（ｂ）は底面図であって、（ｃ）は（ｂ）に示すＢ−Ｂに沿う断面図である。
【図３】図１における第一筒体を示す、（ａ）は平面図であり、（ｂ）は（ａ）に示すＣ−Ｃに沿う断面図であり、（ｃ）は（ａ）に示す矢印Ｄに沿う矢視図である。
【図４】図１における第二筒体を示す、（ａ）は（ｂ）に示すＥ−Ｅに沿う断面図であり、（ｂ）は底面図であり、（ｃ）は（ｂ）に示す矢印Ｆに沿う矢視図である。
【図５】第一筒体と第二筒体を直列状に連結させた状態を示す断面図であって、（ａ）は、図３に示す第一筒体と図４に示す第二筒体を連結させたものであり、（ｂ）は、図３に示す第一筒体よりも隣り合う溝の間隔が狭い第一筒体と、図４に示す第二筒体よりも隣り合う溝の間隔が広い第二筒体とを連結させたものであり、（ｃ）は、（ａ）に示す第一筒体と（ｂ）に示す第二筒体を連結させたものであり、（ｄ）は、（ｂ）に示す第一筒体と（ａ）に示す第二筒体を連結させたものである。
【図６】図１における保持部材を示す、（ａ）は側面図であり、（ｂ）は底面図であり、（ｃ）は（ｂ）に示すＧ−Ｇに沿う断面図である。
【図７】図１に示す操出容器において、外筒部を回転させて棒状内容物を上昇移動させる状況を説明する図であって、（ａ）は、棒状内容物の移動域においてその中間位置付近まで移動した状態であり、（ｂ）は、その移動域において最上点付近まで移動した状態である。
【発明を実施するための形態】
【００１２】
以下、図面を参照しながら本発明に従う操出容器の一実施形態について説明する。なお、本明細書等における「上」、「下」は、図１に示すように外ケース（符号４）が下方に位置し、オーバーキャップ（符号８）が上方に位置する状態での向きをいう。
【００１３】
本発明の操出容器は、概略、内筒部と、内筒部に対して回転可能に設けられる外筒部と、外筒部を回転させることによって内筒部に対して昇降移動する保持部とを備えるものである。本実施形態においては、内筒部を構成する内筒部材１と、外筒部を構成する第一筒体２、第二筒体３、外ケース４、ホルダ５、及びキャップ６と、保持部を構成する保持部材７と、内筒部材１を覆い隠してキャップ６に着脱自在に保持されるオーバーキャップ８とを備えている。
【００１４】
内筒部材１は、図２に示すように、概略円筒状をなす筒状壁１ａを備えている。筒状壁１ａは、軸線Ｏに沿う向きの中間部において、径方向外側に向かって突き出す膨出部１ｂを備えている。また筒状壁１ａには、軸線Ｏに沿って下方から上方に向かって延びるスリット１ｃを備えている。本実施形態においては、図２（ａ）、（ｂ）に示すように合計２つのスリット１ｃが、軸線Ｏを挟んで対向する配置で設けられている。
【００１５】
第一筒体２は、図３に示すように、概略円筒状をなす第一筒状壁２ａを備えている。第一筒状壁２ａの上端には、内周面が第一筒状壁２ａに揃う一方、外周面は第一筒状壁２ａよりも径方向内側に位置する第一薄肉壁２ｂが設けられている。更に第一筒状壁２ａの上端には、第一薄肉壁２ｂに連結しつつ軸線Ｏに沿って突出するとともに、外周面及び内周面が第一筒状壁２ａに揃う第一凸状部２ｃが設けられている。本実施形態の第一凸状部２ｃは、図３（ａ）に示すように、軸線Ｏを挟んで対向する配置で合計２つ設けられている。また、第一筒状壁２ａ、第一薄肉壁２ｂ、及び第一凸状部２ｃの内周面には、軸線Ｏを周回しつつ軸線Ｏに沿って螺旋状に延在する第一螺旋溝２ｄが設けられている。そして、第一筒状壁２ａ、及び第一凸状部２ｃの外周面には、軸線Ｏに沿って延在する第一縦溝２ｅが設けられている。また、第一薄肉壁２ｂの外周面には、径方向外側に向けて突出する第一突起２ｆが設けられている。
【００１６】
図４に示すように第二筒体３は、概略円筒状をなす第二筒状壁３ａを備えている。第二筒状壁３ａの下端には、外周面が第二筒状壁３ａに揃う一方、内周面は第二筒状壁３ａよりも径方向外側に位置する第二薄肉壁３ｂが設けられている。また第二薄肉壁３ｂには、軸線Ｏに沿って第二薄肉壁３ｂを切り欠く第二凹状部３ｃが設けられている。本実施形態の第二凹状部３ｃは、図４（ｂ）に示すように、軸線Ｏを挟んで対向する配置で合計２つ設けられている。また第二筒状壁３ａの内周面には、軸線Ｏを周回しつつ軸線Ｏに沿って螺旋状に延在する第二螺旋溝３ｄが設けられている。本実施形態の第二螺旋溝３ｄは、図３に示す第一螺旋溝２ｄに対して、隣り合う溝の間隔が狭くなっている。そして、第二筒状壁３ａ、及び第二薄肉壁３ｂの外周面には、軸線Ｏに沿って延在する第二縦溝３ｅが設けられている。また、第二薄肉壁３ｂの内周面には、径方向内側に向けて突出する第二突起３ｆが設けられている。
【００１７】
ところで、上述した第一凸状部２ｃは、第二凹状部３ｃに嵌まり込むように形成されていて、また第一薄肉壁２ｂは、第二薄肉壁３ｂの径方向内側に嵌まり込むように形成されている。すなわち、第一筒体２と第二筒体３は、図５（ａ）に示すように、第一筒体２の上方に第二筒体３が位置するようにして直列状に連結することができる。この状態において、図３に示す第一突起２ｆは、図４に示す第二突起３ｆに係合するように形成されていて、第一筒体２と第二筒体３とは相互に抜け止め保持されている。ここで、第一凸状部２ｃが第二凹状部３ｃに嵌まり込むことによって、第二筒体３は第一筒体２に対して周方向に位置決めされるが、この状態において第一螺旋溝２ｄと第二螺旋溝３ｄは、第一筒体２と第二筒体３の合わせ目において連続するように位置決めされている。これにより、図５（ａ）に示すように直列状に連結した第一筒体２と第二筒体３の内周面には、下方は隣り合う溝の間隔が広い一方で、上方はこの間隔が狭くなる、連続した螺旋溝が形成される。そしてこの状態においては、第一縦溝２ｅと第二縦溝３ｅも、第一筒体２と第二筒体３の合わせ目において連続するように位置決めされている。
【００１８】
なお、上述した第一筒体２は、隣り合う溝の間隔が広い第一螺旋溝２ｄを有し、第二筒体３は、この間隔が狭い第二螺旋溝３ｄを有するものであるが、図５（ｂ）に示すように、間隔が狭い第一螺旋溝２ｄ’を備える第一筒体２’と、間隔が広い第二螺旋溝３ｄ’を備える第二筒体３’を準備し、これらを直列状に連結させてもよい。このような構成を採用することによって、第一筒体２’と第二筒体３’の内周面には、下方は隣り合う溝の間隔が狭い一方で、上方はこの間隔が広くなる螺旋溝が形成される。また、図５（ｃ）に示すように第一筒体２と第二筒体３’を連結させる場合は、これらの内周面において、下方から上方に向かって隣り合う溝の間隔が広い状態のままで延在する螺旋溝を形成することができ、図５（ｄ）に示すように第一筒体２’と第二筒体３を連結させる場合は、これらの内周面に、下方から上方に向かって隣り合う溝の間隔が狭いままの状態で延在する螺旋溝を形成することができる。
【００１９】
外ケース４は、図１に示すように第一筒体２及び第二筒体３の外側に位置するものである。外ケース４は、概略、有底筒状をなす外ケース本体４ａを備えていて、外ケース本体４ａの底部には、貫通孔４ｂが設けられている。また外ケース本体４ａの内周面には、図１の拡大図に示すように、軸線Ｏに沿って延在するとともに、第一縦溝２ｅ及び第二縦溝３ｅに嵌まり込む内側縦リブ４ｃが設けられている。
【００２０】
ホルダ５は、図１に示すように筒状をなすホルダ本体５ａと、ホルダ本体５ａの下端部から径方向外側に向けて延在するフランジ５ｂとを備えるものである。ホルダ本体５ａは、下方から内筒部材１を挿通させた際に、膨出部１ｂの上方においてこの膨出部１ｂに引っ掛かるサイズで形成されている。またフランジ５ｂは、ホルダ本体５ａが膨出部１ｂに引っ掛かった状態において、第二筒体３の上方に位置するように形成されている。
【００２１】
キャップ６は、外ケース４の上部開口において、外ケース４に保持されるものである。本実施形態のキャップ６は、外ケース本体４ａの内周面に嵌合保持される筒状の嵌合壁６ａと、嵌合壁６ａの上端部から径方向外側に向けて延在するフランジ６ｂと、嵌合壁６ａの上端部から軸線Ｏに沿う向きに延在しつつ、上端部を筒状壁１ａに当接させた環状壁６ｃとを備えている。ここで、図１に示すようにキャップ６を外ケース４に取り付けた状態において、嵌合壁６ａはフランジ５ｂの上方に位置しており、ホルダ５はキャップ６に抜け止め保持され、併せて内筒部材１、第一筒体２、及び第二筒体３も抜け止め保持される。そして、環状壁６ｃの外周面には径方向外側に向けて突出する凸部６ｄが設けられている。
【００２２】
保持部材７は、図６に示すように、口紅等のような棒状内容物Ｓを保持するものである。本実施形態の保持部材７は、棒状内容物Ｓの底部に接する円板壁７ａと、円板壁７ａの中央部に設けられた貫通孔７ｂと、円板壁７ａの外縁部から軸線Ｏに沿って上方に向けて延在し、棒状内容物Ｓの下端部を取り囲む筒状の保持壁７ｃと、保持壁７ｃの径方向内側において円板壁７ａと保持壁７ｃとを連結する補強リブ７ｄと、を備えている。また、円板壁７ａの外縁部には、軸線Ｏに沿って下方に向けて延在する下部筒状壁７ｅが設けられている。そして下部筒状壁７ｅの外周面には、径方向外側に向けて突出する案内突起７ｆが設けられている。本実施形態の案内突起７ｆは、下部筒状壁７ｅに連結するとともに、図６（ａ）に示すように側面視において矩形状になる段部７ｇと、段部７ｇから径方向外側に突出するとともに、側面視において一方の側縁から他方の側縁に向けて傾斜した矩形状となる突起部７ｈとで構成されるものである。このような構成になる案内突起７ｆは、操出容器として組み立てられた際に、内筒部材１のスリット１ｃに対して段部７ｇが係合し、突起部７ｈが、第一筒体２の第一螺旋溝２ｄ（又は第二筒体３の第二螺旋溝３ｄ）に係合する。なお、本実施形態における案内突起７ｆは、図６（ｂ）、（ｃ）に示すように、軸線Ｏを挟んで対向する配置で、合計２つ設けている。
【００２３】
そしてオーバーキャップ８は、図１に示すように有蓋筒状をなすものであって、内筒部材１を覆い隠してキャップ６に保持される。なお、オーバーキャップ８の内周面には、キャップ６の凸部６ｄに係合する凹部が設けられていて、オーバーキャップ８は、キャップ６に着脱自在に保持される。
【００２４】
このような構成になる操出容器を使用するにあたっては、オーバーキャップ８を取り外した後、内筒部材１に対して外ケース４を相対的に回転させる。ここで、外ケース４の内側縦リブ４ｃは、第一筒体２の第一縦溝２ｅと第二筒体３の第二縦溝３ｅに嵌まり込んでいるため、外ケース４の回転とともに第一筒体２と第二筒体３も回転する。また保持部材７は、段部７ｇが内筒部材１のスリット１ｃに係合し、突起部７ｈが第一筒体２の第一螺旋溝２ｄ（又は第二筒体３の第二螺旋溝３ｄ）に係合しているため、段部７ｇがスリット１ｃに案内されるようにして上昇する。これにより、棒状内容物Ｓを筒状壁１ａから繰り出すことができる。
【００２５】
ところで本実施形態にあっては、図５（ａ）に示すように、第一筒体２と第二筒体３の内周面には、第一螺旋溝２ｄと第二螺旋溝３ｄとの組み合わせによって、下方は隣り合う溝の間隔が広い一方で、上方はこの間隔が狭くなる螺旋溝が形成されている。これにより、図７（ａ）に示すように突起部７ｈが第一螺旋溝２ｄに係合する場合には、棒状内容物Ｓを筒状壁１ａから素早く繰り出すことができ、また図７（ｂ）に示すように突起部７ｈが第二螺旋溝３ｄに係合する場合には、棒状内容物Ｓをゆっくりと繰り出して、露出する長さを微妙に調整することができる。
【００２６】
また、棒状内容物Ｓの種類や使用方法によっては、図５（ｂ）に示す第一筒体２’と第二筒体３’の組み合わせを採用してもよい。この場合、第一筒体２’と第二筒体３’の内周面には、下方では隣り合う溝の間隔が狭い一方で、上方ではこの間隔が広くなる螺旋溝が形成されるため、棒状内容物Ｓの移動域の前半段階では、これをゆっくりと繰り出すことができ、後半段階では、これを素早く繰り出すことができる。また、図５（ｃ）に示す第一筒体２と第二筒体３’の組み合わせを採用する場合は、これらの内周面には下方から上方に向かって隣り合う溝の間隔が広い状態のままで延在する螺旋溝が形成されるため、棒状内容物Ｓの移動域の全般に亘って、これを素早く繰り出すことができる。また、図５（ｄ）に示すように第一筒体２’と第二筒体３の組み合わせを採用する場合は、これらの内周面には下方から上方に向かって隣り合う溝の間隔が狭いままの状態で延在する螺旋溝が形成されるため、移動域の全般に亘って棒状内容物Ｓをゆっくりと繰り出すことができる。
【００２７】
本発明に従う操出容器は、これまでに説明した実施形態に限られるものではなく、特許請求の範囲に従う範疇で種々の変更を加えたものも含まれる。例えば、第一筒体２に対して第二筒体３を周方向に位置決めするものとして、上述した実施形態では、第一凸状部２ｃと第二凹状部３ｃを設けていたが、第一筒体に軸線方向に凹陥する第一凹状部を設けるとともに、第二筒体にはこの第一凹状部に適合する第二凸状部を設けるように構成してもよい。また、外ケース４とともに第一筒体２及び第二筒体３を回転させるものとして、上述した実施形態では、第一筒体２に第一縦溝２ｅを設け、第二筒体３に第二縦溝３ｅを設け、外ケース４に内側縦リブ４ｃを設けていたが、第一筒体に第一縦リブを設け、第二筒体に第二縦リブを設け、外ケースにはこれらの縦リブに適合する内側縦溝を設けてもよい。また、上述した実施形態では、第一筒体と第二筒体の２つの筒体を直列状に連結させるようにし、これによって外筒部の内周面における螺旋溝に変化点を持たせることができるように構成していたが、３つ以上の筒体を直列状に連結させるようにし、これによって、螺旋溝の変化点が更に増やせるように構成してもよい。また内筒部、及び保持部は、それぞれ１つの部材で構成したが、複数の部材で構成するようにしてもよい。
【符号の説明】
【００２８】
１：内筒部材
１ａ：筒状壁
１ｂ：膨出部
１ｃ：スリット
２：第一筒体
２ａ：第一筒状壁
２ｂ：第一薄肉壁
２ｃ：第一凸状部
２ｄ：第一螺旋溝
２ｅ：第一縦溝
２ｆ：第一突起
３：第二筒体
３ａ：第二筒状壁
３ｂ：第二薄肉壁
３ｃ：第二凹状部
３ｄ：第二螺旋溝
３ｅ：第二縦溝
３ｆ：第二突起
４：外ケース
４ａ：外ケース本体
４ｂ：貫通孔
４ｃ：内側縦リブ
５：ホルダ
５ａ：ホルダ本体
５ｂ：フランジ
６：キャップ
６ａ：嵌合壁
６ｂ：フランジ
６ｃ：環状壁
６ｄ：凸部
７：保持部材
７ａ：円板壁
７ｂ：貫通孔
７ｃ：保持壁
７ｄ：補強リブ
７ｅ：下部筒状壁
７ｆ：案内突起
７ｇ：段部
７ｈ：突起部
８：オーバーキャップ
Ｏ：軸線
Ｓ：棒状内容物
【図１】
2018183464.tif 000003
【図２】
2018183464.tif 000004
【図３】
2018183464.tif 000005
【図４】
2018183464.tif 000006
【図５】
2018183464.tif 000007
【図６】
2018183464.tif 000008
【図７】
2018183464.tif 000009